(57)【要約】【課題】点滴チューブの途中に配される接続具及びその周辺の汚染を効果的に防止できるようにする。【解決手段】折り重ねたときに、その間に、点滴用チューブ２００，２０３の途中に設けられる接続具２１，２２及びその周辺を収容できるものであって、折り重ね得る柔軟なシート部１０に、折り重ねたとき重なり合う領域を互いに連結し得るよう、シート部１０の周縁に沿って連結手段１１を設け、接続具２１，２２及びその周辺領域を間に挟んでシート部１０を折り重ね、周縁を連結手段１１によって連結し、接続具２１，２２及びその周辺領域を汚染防止カバー１で覆うようにする。【選択図】図１
2004033418.tif 000002
【特許請求の範囲】
【請求項１】
折り重ねたときに、その間に、点滴用チューブの途中に設けられる接続具及びその周辺を収容し得るものであって、折り重ね得る柔軟なシート部に、折り重ねたとき重なり合う領域を互いに連結し得るよう連結手段を設けた汚染防止シート。
【請求項２】
折り重ねたとき、シート部の重なり合う領域の少なくとも一方の周縁の一部に、張り出し部を設けてなる請求項１に記載の汚染防止シート。
【請求項３】
連結手段が、シート部の周縁に沿った線状のものであって、少なくとも１箇所で所定幅途切れる請求項１又は２に記載の汚染防止カバー。
【請求項４】
連結手段が、シート部の対面する領域の一方の周縁に沿って設けられる、少なくとも１条の凸条部と、折り重ねたときに、凸条部に対向する位置に、凸条部の凸条部分を内部に収容して挟持し得るよう設けられる凹条部と、からなる請求項１ないし３のいずれか１項に記載の汚染防止カバー。
【請求項５】
折り重ねたときに、内側になる面の少なくとも一部に、消毒液を含浸させ得る保湿層を設けた請求項１ないし４のいずれか１項に記載の汚染防止カバー。
【請求項６】
シート部の少なくとも一部が透明である請求項１ないし５のいずれか１項に記載の汚染防止カバー。
【請求項７】
折り重ねたときに、外側になる面の少なくとも一部に、滑り止めを設けた請求項１ないし６のいずれか１項に記載の汚染防止カバー。
【発明の詳細な説明】
【０００１】
【発明の属する技術分野】
本発明は、三方活栓のような、点滴チューブの途中に配される接続具に対する汚染防止具に関する。
【０００２】
【従来の技術】
点滴を行う場合、点滴チューブの途中に、三方活栓などの接続具が配される事が多い。
このような接続具は、複数の接続口を有し、それぞれの接続口には、随時、チューブ、注射器やキャップが着脱される。
一般的に、このような接続具は、患者のベッドやブランケット上などにそのまま載置されることが多い。
【０００３】
このように載置された接続具は、細菌や異物の付着などにより汚染されやすい。
汚染された状態でチューブ等の着脱などを行い、点滴される薬液中に細菌などが混入すると、肺炎や敗血症などの重篤な感染症につながる可能性が高く、これが院内感染を引き起こす危険性も否定できない。
特に、免疫力や感染防御力の低下した患者にとって、このような汚染は、直接生命の存続にかかわるので、絶対に防止しなければならない。
【０００４】
このため、接続具をガーゼや滅菌布などで被覆し、汚染の低減をはかったりしているが、このような手段では、細菌などの汚染を効果的に防止することは困難である。
したがって、現在、接続具の汚染を効果的に防止するための対策としては、医師や看護師等による入念な消毒に頼らざるを得なかった。
【０００５】
また、患者が寝ているベッドは、パイプフレームで構成されていたり、柵や、手すりなどがついているなど、隙間が多い。
このようなベッドに、点滴チューブの途中に設けられた接続具を置くと、患者やチューブが動いた拍子に、接続具がパイプや柵などの隙間に滑り落ちることもあり、この場合、そのまま患者がチューブを引っ張ったりすると、フレームなどに接続具が引っかかって危険であるという問題があった。
【０００６】
【発明が解決しようとする課題】
本発明は上記の問題を解決するためになされたものであり、その目的は、点滴チューブの途中に配される接続具及びその周辺の汚染を効果的に防止できるようにすることにある。
【０００７】
【課題を解決するための手段】
上記の目的は、折り重ねたときに、その間に、点滴用チューブの途中に設けられる接続具及びその周辺を収容できるものであって、折り重ね得る柔軟なシート部に、折り重ねたとき重なり合う領域を互いに連結し得るよう連結手段を設け、接続具及びその周辺領域を間に挟んでシート部を折り重ね、重なり合う領域を連結手段によって連結し、接続具及びその周辺領域を汚染防止カバーで覆うことによって達成される。
【０００８】
また、折り重ねたとき、シート部の重なり合う領域の少なくとも一方の周縁の一部に、張り出し部を設け、展開するときに、重なり合っている領域を剥離しやすくしてもよい。
また、連結手段は、シートの周縁に沿った線状のものであって、少なくとも１箇所で所定幅途切れるものとし、チューブが連結手段の切れ目を通過するようにしてもよい。
また、この連結手段としては、シートの対面する領域の一方の周縁に沿って設けられる、少なくとも１条の凸条部と、折り重ねたときに、凸条部に対向する位置に、凸条部の凸条部分を内部に収容して挟持し得るよう設けられる凹条部とからなるものとすることが推奨される。
【０００９】
また、折り重ねたときに、内側になる面の少なくとも一部に、消毒液を含浸させ得る保湿層を設け、使用時に接続具の周囲を殺菌消毒するようにしてもよい。
また、シートの少なくとも一部を透明とし、接続具やチューブなどの接続状態を観察できるようにしてもよい。
【００１０】
なお、ここでいう透明とは無色透明のみに限定されるものではなく、汚染防止カバーに覆われた内部の状態を確認できる程度の視認性が確保できるものであればよい。
また、折り重ねたときに、外側になる面の少なくとも一部に、滑り止めを設け、シーツや毛布上から滑り落ち難くしてもよい。
【００１１】
【発明の実施の形態】
以下、図面により、本発明を詳細に説明する。
図１は本発明に係る汚染防止カバーの第一実施例の展開状態を示す平面図、図２は図１に示した汚染防止カバーの使用状態を示す平面図、図３は本発明に係る汚染防止カバーの第二実施例の展開状態を示す平面図、図４は本発明に係る汚染防止カバーの第三実施例の使用状態を示す平面図、図５は本発明に係る汚染防止カバーの第四実施例の折り重ね状態を示す平面図である。
【００１２】
まず、図１及び図２に基づき、第一実施例について説明する。
図中、１は本発明に係る汚染防止カバー、１０はシート部、１１は凸条部１１０と凹条部１１１とからなる連結手段、２は点滴ライン、２００ないし２０３はチューブ、２１及び２２は接続具、２３は静脈留置針である。
シート部１０は、透明かつ柔軟な矩形状の樹脂シートであり、図１に示した１点鎖線に沿って中央で二つ折りし得るものである。
なお、図１中、１点鎖線として示されている折線は、便宜上示したものである。
【００１３】
連結手段１１は、シート部１０の周縁から所定距離離れた位置に、周縁に沿って設けられるものである。
凸条部１１０は、シート部１０の折線を境界とする一方の半面の周縁に沿って設けられ、凹条部１１１は、シート部１０の折線を境界とする他の一方の半面の周縁に沿って設けられる。
【００１４】
凸条部１１０には、その凸条部分の先端縁が膨出する１条の凸条を有し、凹条部１１１は、内部に凸条部１１０の先端縁を収容し、開口幅が凸条部１１０の先端より狭い溝を有しており、凸条部１１０の凸条を凹条部１１１の溝にあわせて押し込むと、かみ合って、凸条部１１０が凹条部１１１内に挟持されるようになっている。
また、この連結手段１１は、チューブ２００ないし２０３を通すために、凸条部１１０及び凹条部１１１の相対する複数の領域で途切れている。
【００１５】
点滴ライン２のチューブ２００ないし２０２には、図示しない点滴ビンや、輸液パックが接続されている。
接続具２１及び２２は、三方活栓である。
この汚染防止カバー１を使用するときは、展開した汚染防止カバー１の半面上に、点滴ライン２の接続具２１及び２２部分を、連結手段１１の切れ目にチューブ２００ないし２０３が位置するよう載置し、汚染防止カバー１の他の一方の半面が接続具２１及び２２を覆うよう、汚染防止カバー１を二つ折りにし、連結手段１１部分を押しつぶすようにして、図２に示したように、重なり合った汚染防止カバー１の周縁同士を連結する。
【００１６】
治療の途中で、接続具に連結されたチューブを他のチューブやキャップ、シリンジ等に差し替えるときには、汚染防止カバー１の周縁をつかんで引き剥がし、接続具を露出させればよい。
この汚染防止カバー１を使用すると、接続具及びその周辺を簡単に被覆することができるので、汚染を防止できる。
また、この汚染防止カバー１を装着した場合、接続具部分が略平板状になるので、これがベッドからベッドや柵などの隙間にめがけて滑り落ちても、その隙間の入り口に引っかかりやすく、隙間内に落ち込みにくくなり、点滴ラインの損傷を防止できる。
【００１７】
次に、図３に基づき、第二実施例について説明する。
図中、３は本発明に係る汚染防止カバー、３１は連結手段、３２は保湿層である。
なお、本実施例の主要構成は、図１及び図２に示したものと同様であるので、相違点を中心に説明する。
この汚染防止カバー３の内面の片側には、保湿層３１が設けられている。
この保湿層３１は、汚染防止カバー３の内面の片側に、不織布シートを貼り付けることによって設けられる。
この汚染防止カバー３は、保湿層３１に消毒液を噴霧し、消毒液を含浸させた状態で使用する。
この実施例によるときは、汚染防止カバー３内が消毒液の殺菌作用によって滅菌されるため、連結手段をさらに衛生的に保持することができる。
【００１８】
次に、図４に基づき、第三実施例について説明する。
図中、４は本発明に係る汚染防止カバー、４０はシート部、４０ａ、４０ｂは張り出し部、４３は滑り止めである。
なお、本実施例の主要構成は、図３に示したものと同様であるので、相違点を中心に説明する。
また、図４ではシート部４０の陰になる部分を点線で示したが、シート部４０は透明である。
張り出し部４０ａ及び４０ｂは、シート部４０の折線と平行な端辺に、それぞれ、シート部４０を折り重ねたときに、互い違いに隣接して外方に張り出すよう設けられる。
また、この汚染防止カバー４には、保湿層が設けられた側の表側の面の中央に滑り止め４３が設けられる。
この汚染防止カバー４を用いるときには、滑り止め４３が下側になるよう、ベッド等の上に載置する。
この実施例によるときは、使用中に接続具部分がベッド上から滑り落ちなくなり、衛生的で便利である。
また、点滴ラインに装着された汚染防止カバー４を取り外す場合、張り出し部４０ａ、４０ｂを掴んで引き離せば、簡単に汚染防止カバー４を開くことができる。
【００１９】
次に、図５に基づき、第四実施例について説明する。
図中、５は本発明に係る汚染防止カバー、５０はシート部、５０ａは張り出し部である。
なお、本実施例の主要構成は、図１に示したものと同様であるので、相違点を中心に説明する。
また、図５ではシート部５０は、不透明なものとして示されているが、実際には全体が透明である。
シート部５０は、その折線と平行な一方の端辺の所定幅が、シート部５０を折り重ねたときに、他の一方の端辺より外方に張り出すよう構成され、この張り出し部分が、張り出し部５０ａとなっている。
この実施例によるときは、折り重ねられているシート部５０の周縁の一方のみを簡単に掴んで剥離することができるので、使用しやすい上、形状が単純で製造コストや流通コストを抑えることができ、さらに、剥離時に部分的に応力が集中するなどして、破損する恐れもない。
【００２０】
本発明は上記のように構成されるが、本発明は上記の実施例に限定されるものではない。
例えば、接続具は、三方活栓に限定されず、多方活栓、多連活栓などのような点滴用チューブの途中に取り付けられる接続具であれば、どのようなものであってもよい。
また、本実施例ではシート部は矩形状であるが、点滴用チューブの途中に設けられる接続具を間に挟んで二つ折りにし得るものであればどのような形状でもよく、例えば、展開したときに円状や楕円状でも、また、折りたたんだときに台形状になるものであってもよく、また、シート部は、三つ折り以上に折り重ねるようにしてもよい。
【００２１】
また、連結手段は、シート部の重なり合う領域の周縁に沿って点在するように設けてもよく、また、一対の連結手段の片方を一連のものとしてもよく、また、どちらか一方を複数箇所で途切れるようにしてもよい。
また、連結手段に用いる方法は、連結、分離を繰り返して簡単に行うことができるものであればどのようなものでもよく、折り重ねたシート部の一方の面の周縁の少なくとも一部を、さらに他の一方の面の外側に折り重ね得るようにし、さらに折り重ねられた領域と、他の一方の面の外側とを連結するようにしてもよい。
【００２２】
また、上記の実施例では、シート部は、全体が透明な樹脂シートで構成されているが、一部に、内部を観察し得る透明又は半透明の窓を設けるようにしてもよく、また、全体を不透明な素材で構成するようにしてもよい。
また、保湿層は、汚染防止カバーを折り重ねたときに内側になる領域に部分的に設けるようにしてもよい。
また、滑り止めの形状は、取り付け位置、素材などは、滑り止めとしての効果が認められるものであれば、どのようなものであってもよい。
【００２３】
また、第三実施例に設けられる張り出し部の形状や位置、個数は、折り重ねて周縁が連結された汚染防止カバーを開くときに、一方の辺縁側を掴んで、他の一方の面から容易に引き離せるものであれば、どのようなものであってもよく、例えば、折り重ねたときに、一方の周縁が、他の一方の周縁と重なり合わない領域が形成されていればよい。
【００２４】
【発明の効果】
本発明は上記のように構成されるので、本発明によるときは、点滴チューブの途中に配される接続具及びその周辺の汚染を効果的に防止できるようになる。
【図面の簡単な説明】
【図１】本発明に係る汚染防止カバーの第一実施例の展開状態を示す平面図である。
【図２】図１に示した汚染防止カバーの使用状態を示す平面図である。
【図３】本発明に係る汚染防止カバーの第二実施例の展開状態を示す平面図である。
【図４】本発明に係る汚染防止カバーの第三実施例の使用状態を示す平面図である。
【図５】本発明に係る汚染防止カバーの第三実施例の使用状態を示す平面図である。
【符号の説明】
１　　　　汚染防止カバー
１０　　　シート部
１１　　　連結手段
１１０　　凸条部
１１１　　凹条部
２　　　　点滴ライン
２００　　チューブ
２０１　　チューブ
２０２　　チューブ
２０３　　チューブ
２１　　　接続具
２２　　　接続具
２３　　　静脈留置針
３　　　　汚染防止カバー
３１　　　連結手段
３２　　　保湿層
４　　　　汚染防止カバー
４０　　　シート部
４０ａ　　張り出し部
４０ｂ　　張り出し部
４３　　　滑り止め
５　　　　汚染防止カバー
５０　　　シート部
５０ａ　　張り出し部
【図１】
2004033418.tif 000003
【図２】
2004033418.tif 000004
【図３】
2004033418.tif 000005
【図４】
2004033418.tif 000006
【図５】
2004033418.tif 000007